(57)【要約】【課題】  バイパス弁が流体中の異物によりバイパス通路を完全閉止できなくなることを防止する。【解決手段】  本体１と蓋２からなるトラップケーシングに入口４と、入口４から連通する弁室３と、弁口９を介して弁室３から連通する出口通路８と、出口通路８から連通する出口５とを形成し、弁口９を開閉するフロート１１を弁室３内に自由状態で配置すると共に、弁室３と出口通路８を連通するバイパス通路１２を本体１と蓋２に形成し、バイパス通路１２を開閉するバイパス弁１４を設け、流体中の異物を補足する濾孔を有するスクリーン６を弁室３内に配置する。入口４からの流体の全てがスクリーン６の濾孔を通過した後にバイパス弁１４に至る。【選択図】  図１
2014109365.tif 000002
【特許請求の範囲】
【請求項１】
トラップケーシングに入口と、入口から連通する弁室と、弁口を介して弁室から連通する出口通路と、出口通路から連通する出口とを形成し、弁口を開閉するフロートを弁室内に自由状態で配置すると共に、弁室と出口通路を連通するバイパス通路をトラップケーシングに形成し、バイパス通路を開閉するバイパス弁を設け、流体中の異物を補足する濾孔を有するスクリーンを弁室内に配置したものにおいて、入口からの流体の全てがスクリーンの濾孔を通過した後にバイパス弁に至ることを特徴とするバイパス弁付フロート式スチームトラップ。
【発明の詳細な説明】
【技術分野】
【０００１】
本発明はフロートを用いて蒸気配管系から復水を自動的に系外へ排出するフロート式スチームトラップにバイパス弁を一体に組合せたバイパス弁付フロート式スチームトラップに関する。この型式のスチームトラップは、一時的に多量の復水が発生した場合や空気障害を生じた場合にバイパス弁を開弁せしめることにより、多量の復水を短時間に排出したり空気障害を解消したりするものである。
【背景技術】
【０００２】
バイパス弁付フロート式スチームトラップは、例えば、特許文献１に示されたものがある。これは、トラップケーシングに入口と、入口から連通する弁室と、弁口を介して弁室から連通する出口通路と、出口通路から連通する出口とを形成し、弁口を開閉するフロートを弁室内に自由状態で配置すると共に、弁室と出口通路を連通するバイパス通路をトラップケーシングに形成し、バイパス通路を開閉するバイパス弁を設け、流体中の異物を補足する濾孔を有するスクリーンを弁室内に配置したものである。
【先行技術文献】
【特許文献】
【０００３】
【特許文献１】特公平６−６８３５５号公報
【発明の概要】
【発明が解決しようとする課題】
【０００４】
上記従来のバイパス弁付フロート式スチームトラップは、一時的に多量の復水が発生した場合や空気障害を生じた場合にバイパス弁を開弁せしめることにより、多量の復水を短時間に排出したり空気障害を解消したりするものであるが、入口からの流体がスクリーンの濾孔を通過せずにバイパス弁に至るために、バイパス弁が流体中の異物によりバイパス通路を完全閉止できなくなる問題がある。
【０００５】
したがって本発明が解決しようとする課題は、バイパス弁が流体中の異物によりバイパス通路を完全閉止できなくなることを防止できるバイパス弁付フロート式スチームトラップを提供することである。
【課題を解決するための手段】
【０００６】
上記の課題を解決するために、本発明のバイパス弁付フロート式スチームトラップは、トラップケーシングに入口と、入口から連通する弁室と、弁口を介して弁室から連通する出口通路と、出口通路から連通する出口とを形成し、弁口を開閉するフロートを弁室内に自由状態で配置すると共に、弁室と出口通路を連通するバイパス通路をトラップケーシングに形成し、バイパス通路を開閉するバイパス弁を設け、流体中の異物を補足する濾孔を有するスクリーンを弁室内に配置したものにおいて、入口からの流体の全てがスクリーンの濾孔を通過した後にバイパス弁に至ることを特徴とするものである。
【発明の効果】
【０００７】
本発明のバイパス弁付フロート式スチームトラップは、入口からの流体の全てがスクリーンの濾孔を通過した後にバイパス弁に至るものであるので、バイパス弁が流体中の異物によりバイパス通路を完全閉止できなくなることを防止できるという優れた効果を生じる。
【図面の簡単な説明】
【０００８】
【図１】本発明の実施の形態に係わるバイパス弁付フロート式スチームトラップの断面図である。
【発明を実施するための形態】
【０００９】
以下、本発明の実施の形態について、図１を参照して説明する。本体１に蓋２をボルト（図示せず）で締結して内部に弁室３を有するトラップケーシングを形成する。本体１の上部に入口４と、入口４と同一軸上に出口５を形成する。流体中の異物を補足する濾孔を有する周壁に有する円筒形状のスクリーン６を弁室３内に配置する。弁室３の横に隔壁７で隔てて出口５に連通する出口通路８を形成する。隔壁７の下部に弁口９を開口した弁座部材１０をねじ結合し、弁口９を介して弁室３と出口通路８を連通する。弁室３内にステンレス鋼薄板で作った中空の球形フロート１１を自由状態で配置する。フロート１１は弁室３に溜る復水の水位に応じて浮上降下することにより弁口９を開閉し、弁室３に溜る復水を自動的に排出する。入口４からの流体の全てがスクリーン６の濾孔を外側から内側に通過した後に弁口９に至る。
【００１０】
弁室３と出口通路８を連通するバイパス通路１２を本体１の上部から蓋２を通して形成する。バイパス通路１２の水平方向部にバイパス通路１２を開閉する水平方向の一字状開口１３を設けたボール弁からなるバイパス弁１４を弁座１５，１６で挟んで回動操作用の弁軸１７により回動自在に配置する。入口４からの流体の全てがスクリーン６の濾孔を外側から内側に通過した後にバイパス弁１４に至る。弁座１５は蓋２にねじ結合したプラグ１８により固定する。プラグ１８にバイパス通路１２の一部を形成する連通路１９を形成する。バイパス弁１４の下流側のバイパス通路１２に弁室３を連通させる排気通路２０を蓋２に形成する。排気通路２０に排気弁口２２を開口した排気弁座２３を保持ガイド２４を間に挟んでねじ結合し、排気弁口２２を介して弁室３と排気通路２０を連通する。保持ガイド２４に係止するバネ２５で温度応動弁２６を保持ガイド２４に係止する。温度応動弁２６はほぼ円板状の密閉体カプセルで図示はしていないが内部に薄板ダイヤフラムと熱膨張収縮液を充填して形成する。入口４からの流体の全てがスクリーン６の濾孔を外側から内側に通過した後に温度応動弁２６に至る。バイパス弁１４は弁軸１７を介して回動させることにより、バイパス通路１２を一字状開口１３により連通した位置とバイパス通路１２を遮断した位置に切換えることができる。
【００１１】
上記実施の形態の作動を説明する。通常は、弁軸１７を操作してバイパス弁１４を図示の状態から９０度回動させることにより、バイパス通路１２を遮断した位置で使用する。弁室３に溜る復水の水位に応じてフロート１１が浮上降下して弁口９を開閉し、弁室３に溜る復水を弁口９から出口通路８を通して出口５に自動的に排出する。また、弁室３の温度に応じて温度応動弁２６が排気弁口２２を開閉し、弁室３に溜る空気を排気弁口２２から排気通路２０、バイパス弁１４の下流側のバイパス通路１２、出口通路８を通して出口５に自動的に排出する。
【００１２】
そして、一時的に多量に発生した復水を短時間に排出する場合や温度応動弁２６が開弁できなくなった場合は、弁軸１７を操作してバイパス弁１４を回動させて図示の状態とすることにより、バイパス通路１２を一字状開口１３により連通させて、多量の復水を短時間に排出したり空気障害を解消したりする。
【産業上の利用可能性】
【００１３】
本発明は、フロートを用いて蒸気配管系から復水を自動的に系外へ排出するフロート式スチームトラップにバイパス弁を一体に組合せたバイパス弁付フロート式スチームトラップに利用することができる。
【符号の説明】
【００１４】
１  本体
２  蓋
３  弁室
４  入口
５  出口
６  スクリーン
８  出口通路
９  弁口
１１  フロート
１２  バイパス通路
１３  一字状開口
１４  バイパス弁
２０  排気通路
２６  温度応動弁
【図１】
2014109365.tif 000003